(57)【要約】【課題】収納のデッドスペースの低減を図り、使い勝手に優れた斬新なウォークインクローゼットを提供する。【解決手段】横棒６を取り付けるための棚柱４ａ〜４ｃ，８ａ〜８ｂに関して、奥行き方向の設置位置を変える。比較的幅広な上着類をジャケット・コート掛けエリアに吊り下げ、比較的幅狭なスカート類をスカート・ズボン掛けエリアに吊り下げるといった如く、収納すべき衣服をその種類に応じた収納エリアに分けて収納する。【選択図】図１
0003116490.tif 000002
【実用新案登録請求の範囲】
【請求項１】
第１の収納エリアと、前記第１の収納エリアとは異なる種類の衣服が収納される第２の収納エリアとを有するウォークインクローゼットにおいて、
前記第１の収納エリアの床面から鉛直上方に向かって延びるように設置され、取付対象となる着脱自在な棚板を四点で支持し、かつ、前記棚板を取り付ける高さを調整することが可能な第１の棚板取付部と、
前記第１の収納エリアの床面から鉛直上方に向かって延びるように設置され、取付対象となる着脱自在な横棒を二点で支持し、かつ、前記横棒を取り付ける高さを調整することが可能な第１の横棒取付部と、
前記第２の収納エリアの床面から鉛直上方に向かって延びるように設置され、取付対象となる着脱自在な棚板を四点で支持し、かつ、前記棚板を取り付ける高さを調整することが可能な第２の棚板取付部と、
前記第２の収納エリアの床面から鉛直上方に向かって延びるように設置され、取付対象となる着脱自在な横棒を二点で支持し、かつ、前記横棒を取り付ける高さを調整することが可能な第２の横棒取付部とを有し、
前記第１の横棒取付部の奥行き方向の設置位置は、前記第２の横棒取付部の奥行き方向の設置位置と異なることを特徴とするウォークインクローゼット。
【請求項２】
前記第１の棚板取付部と、前記第２の棚板取付部と、前記第１の横棒取付部と、前記第２の横棒取付部とは、横方向の設置間隔が同一であることを特徴とする請求項１に記載されたウォークインクローゼット。
【請求項３】
前記第１の横棒取付部は、前後の前記第１の棚板取付部を結ぶ直線上に設置されており、
前記第２の横棒取付部は、前後の前記第２の棚板取付部を結ぶ直線上に設置されていることを特徴とする請求項２に記載されたウォークインクローゼット。
【請求項４】
前記ウォークインクローゼットのコーナー部に設けられ、前記ウォークインクローゼットの内部空間とは側壁によって分離され、かつ、前記ウォークインクローゼット以外の場所より開閉可能な扉を有する第３の収納エリアをさらに有することを特徴とする請求項１から３のいずれかに記載されたウォークインクローゼット。
【請求項５】
前記ウォークインクローゼットの側壁に設けられた窓と、
前記窓の内側に取り付けられているとともに、前記窓を覆わない位置と前記窓を覆う位置との間をスライドさせることが可能な引き戸と、
前記引き戸の内側に取り付けられたミラーと
をさらに有することを特徴とする請求項１から４のいずれかに記載されたウォークインクローゼット。
【考案の詳細な説明】
【技術分野】
【０００１】
本考案は、ウォークインクローゼットに関する。
【背景技術】
【０００２】
近年、人々の価値観が多様化するのにともない、住居に快適さやゆとりを求める人々が益々増えている。しかしながら、敷地面積や予算といった様々な制約から、居住空間を十分に確保するのが困難なケースも多い。そこで、限られた居住空間で快適な暮らしを実現するためには、使い勝手を阻害することなく、物の収納性を高めるための工夫が重要となる。
【０００３】
なお、収納性を意図した先行文献ではないが、特許文献１には、開放感を高めるために、隣接した居住空間との間を隔てる壁面の上部を開口させたウォークインクローゼットが開示されている。
【特許文献１】特開平２００３−１８４３２４号公報
【考案の開示】
【考案が解決しようとする課題】
【０００４】
本考案の目的は、収納のデッドスペースの低減を図り、使い勝手に優れた斬新なウォークインクローゼットを提供することである。
【課題を解決するための手段】
【０００５】
かかる課題を解決するために、本考案は、第１の収納エリアと、第１の収納エリアとは異なる種類の衣服が収納される第２の収納エリアとを有するウォークインクローゼットを提供する。第１の収納エリアは、第１の棚板取付部と、第１の横棒取付部とを有する。第１の棚板取付部は、第１の収納エリアの床面から鉛直上方に向かって延びるように設置され、取付対象となる着脱自在な棚板を四点で支持し、かつ、棚板を取り付ける高さを調整することが可能である。第１の横棒取付部は、第１の収納エリアの床面から鉛直上方に向かって延びるように設置され、取付対象となる着脱自在な横棒を二点で支持し、かつ、横棒を取り付ける高さを調整することが可能である。第２の収納エリアは、第２の棚板取付部と、第２の横棒取付部とを有する。第２の棚板取付部は、第２の収納エリアの床面から鉛直上方に向かって延びるように設置され、取付対象となる着脱自在な棚板を四点で支持し、かつ、棚板を取り付ける高さを調整することが可能である。第２の横棒取付部は、第２の収納エリアの床面から鉛直上方に向かって延びるように設置され、取付対象となる着脱自在な横棒を二点で支持し、かつ、横棒を取り付ける高さを調整することが可能である。第１の横棒取付部の奥行き方向の設置位置は、第２の横棒取付部の奥行き方向の設置位置と異なっている。
【０００６】
ここで、本考案において、第１の棚板取付部と、第２の棚板取付部と、第１の横棒取付部と、第２の横棒取付部とは、横方向の設置間隔が同一であることが好ましい。この場合、第１の横棒取付部は、前後の第１の棚板取付部を結ぶ直線上に設置されており、第２の横棒取付部は、前後の第２の棚板取付部を結ぶ直線上に設置されていることが望ましい。
【０００７】
また、本考案において、ウォークインクローゼットのコーナー部に設けられ、ウォークインクローゼットの内部空間とは側壁によって分離され、かつ、ウォークインクローゼット以外の場所より開閉可能な扉を有する第３の収納エリアをさらに設けてもよい。
【０００８】
さらに、本考案において、ウォークインクローゼットの側壁に設けられた窓と、窓の内側に取り付けられているとともに、窓を覆わない位置と窓を覆う位置との間をスライドさせることが可能な引き戸と、引き戸の内側に取り付けられたミラーとをさらに設けてもよい。
【考案の効果】
【０００９】
本考案によれば、横棒を取り付けるための第１および第２の横棒取付部に関して、奥行き方向の設置位置を変えている。そして、例えば、比較的幅広な衣服を第１の収納エリアに吊り下げ、比較的幅狭な衣服を第２の収納エリアに吊り下げるといった如く、収納すべき衣服をその種類に応じた収納エリアに分けて収納する。これにより、収納のデッドスペースを有効に低減しつつ、使い勝手に優れたウォークインクローゼットを実現できる。
【考案を実施するための最良の形態】
【００１０】
図１は、本実施形態に係るウォークインクローゼットの上面図である。収納空間であるウォークインクローゼット１は、壁面によって隣接した主寝室と区切られており、この壁面の一部にはドア２が取り付けられている。このドア２の内面（ウォークインクローゼット１側）には、衣類等が掛けられるように、ブラケットを介して横棒（パイプ）が二段で取り付けられている。このウォークインクローゼット１は、その用途または収納すべき衣服の種類に応じて、いくつかの収納エリアに別れており、具体的には、ジャケット・コート掛けエリアと、スカート・ズボン掛けエリアと、Ｙシャツ・セーター・下着エリアと、小物・靴エリアと、着替え・身支度エリアとを備えている。
【００１１】
ジャケット・コート掛けエリアは、ジャケットやコートといった比較的幅広な上着類用の収納エリアである。この収納エリアは、棚板や横棒を取り付ける際の一単位となるユニットＵ1〜Ｕ3が横三列に並んでおり、棚板用棚柱３ａ〜３ｆおよび横棒用棚柱４ａ〜４ｃを主体に構成されている。これらの棚柱３ａ〜３ｆ，４ａ〜４ｃは、この収納エリアの床面から鉛直上方に向かって延びるように設置され、これらの上端はいずれも天井に固定されている（図２参照）。ユニットＵ1は、ウォークインクローゼット１の側壁と、二本の棚板用棚柱３ａ，３ｂとによって区切られている。同様に、ユニットＵ2は４本の棚板用棚柱３ａ〜３ｄによって、ユニットＵ3は４本の棚板用棚柱３ｃ〜３ｆによって、それぞれ区切られている。一方、横棒用棚柱４ａは、前後の棚板用棚柱３ａ，３ｂの間において、両者を結ぶ直線上に設置されている。同様に、横棒用棚柱４ｂは前後の棚板用棚柱３ｃ，３ｄを結ぶ直線上に、横棒用棚柱４ｃは前後の棚板用棚柱３ｅ，３ｆを結ぶ直線上に、それぞれ設置されている。
【００１２】
棚板用棚柱３ａ〜３ｆの設置間隔は、一例として、幅方向が約780mm、奥行き方向が約400mmに設定されている。また、横棒用棚柱４ａ〜４ｃの設置間隔は、一例として、幅方向が約780mm、奥行き方向が手前の棚板用棚柱３ａ，３ｃ，３ｅから約100mmに設定されている。これにより、ユニットＵ1〜Ｕ3は、サイズ的に統一され、780mm×400mmの棚板および780mm長の横棒が共通して使用できる。なお、横棒用棚柱４ａ〜４ｃの奥行きを手前から約100mmに設定した理由は、収納対象がジャケットやコートといった比較的幅広な衣類なので、その幅分を見越しているからである。
【００１３】
図２は、ジャケット・コート掛けエリアの要部斜視図である。棚板用棚柱３ａ〜３ｆは、棚板５を取り付ける高さを任意に調整することが可能な取付構造を有している。具体的には、これらの棚柱３ａ〜３の側面（棚板５と向き合う面）には、多数の小穴が高さ方向に一列に並んで形成されている。ユーザは、棚板５を設置したい箇所に対応した棚柱３ａ〜３ｆのそれぞれに対して、ピン状の取付具を所望の高さの小穴に装着した上で、これらの取付具上に棚板５を載せる。これにより、着脱自在な棚板５は、棚柱３ａ〜３ｆによって四点で支持される。なお、ユニットＵ2，Ｕ3に関しては、４本の棚柱３ａ〜３ｄ（または３ｃ〜３ｆ）によって棚板５が支持されるが、ユニットＵ1の横一端に関しては、このような棚柱を用いることなく、これと同様の取付構造がウォークインクローゼット１の側壁に直接形成されている。したがって、ユニットＵ1に関しては、２本の棚柱３ａ，３ｂと、側壁に形成された取付構造とによって棚板５が四点で支持される。
【００１４】
一方、横棒用棚柱４ａ〜４ｃは、横棒６を取り付ける高さを任意に調整することができるように、棚板用棚柱３ａ〜３ｆと同様の取付構造を有している。ユーザは、横棒６を設置したい箇所に対応した棚柱４ａ〜４ｃのそれぞれに対して、横棒６の両端に設けられたピン状の突出部を差し込む。これにより、着脱自在な横棒６の両端は、棚柱４ａ〜４ｃによって支持される。なお、ユニットＵ2，Ｕ3に関しては、２本の棚柱４ａ，４ｂ（または４ｂ，４ｃ）によって横棒６が支持されるが、ユニットＵ1の横一端に関しては、このような棚柱を用いることなく、これと同様の取付構造がウォークインクローゼット１の側壁に直接形成されている。したがって、ユニットＵ1に関しては、１本の棚柱４ａと、側壁に形成された取付構造とによって横棒６が二点で支持される。
【００１５】
ジャケット・コート掛けエリアでは、棚板５および横棒６の組み合わせ方、或いは、これらの高さの設定に関する自由度が著しく向上するので、ユーザのニーズに合致したレイアウトを容易に実現できる。例えば、ハンガーで吊し掛けする上着類が多い場合、横棒６を上下二段にセットすれば、上着類の収納性を高めることができる。また、例えば、裾長のコート類が多い場合、その丈に応じた高さに横棒６をセットし、その直ぐ上に棚板５をセットすれば、棚板５と横棒６との間のデッドスペースを有効に減らすことができる。さらに、特にジャケット・コート掛けエリアでは、横棒用棚柱４ａ〜４ｃが通常よりも手前に設置されているので、奥行き方向のクリアランスが確保されている。したがって、比較的幅広な上着類を吊し掛けても、上着類が奥の壁に接触することなく綺麗に整列するので、見栄えのよい収納を実現できる。
【００１６】
つぎに、スカート・ズボン掛けエリアは、スカートやズボンといった比較的幅狭な衣類用の収納エリアである。この収納エリアは、棚板や横棒を取り付ける際の一単位となるユニットＵ4〜Ｕ5が横二列に並んでおり、棚板用棚柱７ａ〜７ｄおよび横棒用棚柱８ａ〜８ｂを主体に構成されている。これらの棚柱７ａ〜７ｄ，８ａ〜８ｂは、この収納エリアの床面から鉛直上方に向かって延びるように設置され、これらの上端はいずれも天井に固定されている。ユニットＵ4は、ウォークインクローゼット１の側壁と、二本の棚板用棚柱７ａ，７ｂとによって区切られている。同様に、ユニットＵ5は、４本の棚板用棚柱７ａ〜７ｄによって区切られている。一方、横棒用棚柱８ａは、前後の棚板用棚柱７ａ，７ｂを結ぶ直線上に設置されている。同様に、横棒用棚柱８ｂは、前後の棚板用棚柱７ｃ，７ｄを結ぶ直線上に設置されている。
【００１７】
棚板用棚柱７ａ〜７ｄの設置間隔は、ジャケット・コート掛けエリアと同様に、幅方向が約780mm、奥行き方向が約400mmに設定されている。また、横棒用棚柱８ａ〜８ｂの設置間隔は、一例として、幅方向が約780mm、奥行き方向が手前の棚板用棚柱７ａ，７ｃから約170mmに設定されている。これにより、ウォークインクローゼット１内の全ユニットＵ1〜Ｕ5は、サイズ的に統一され、780mm×400mmの棚板および780mm長の横棒が共通して使用できる。なお、横棒用棚柱８ａ〜８ｂの奥行きは、上述した横棒用棚柱４ａ〜４ｃと異なり、これよりも奥まって設定されている。その理由は、このエリアの収納対象がスカートやズボンといった比較的幅狭な衣類なので、奥行き方向のクリアランスをそれほど必要としないからである。棚板用棚柱７ａ〜７ｄは、上述した棚板用棚柱３ａ〜３ｆと同様に、棚板５を取り付ける高さを任意に調整することが可能な取付構造を有しており、棚板５を四点で支持する。また、横棒用棚柱８ａ〜８ｂも、上述した横棒用棚柱４ａ〜４ｃと同様に、横棒６を取り付ける高さを任意に調整することが可能な取付構造を有しており、横棒６を二点で支持する。
【００１８】
スカート・ズボン掛けエリアにおいても、ジャケット・コート掛けエリアと同様の理由で、棚板５および横棒６の組み合わせ方、或いは、これらの高さの設定に関する自由度が著しく向上するので、ユーザのニーズに合致したレイアウトを容易に実現できる。特に、横棒用棚柱８ａ〜８ｂは、上述した横棒用棚柱４ａ〜４ｃよりも奥に設置されている。したがって、比較的幅狭なスカート類を吊し掛けた状況における奥行き方向のデッドスペースを有効に低減できる。
【００１９】
Ｙシャツ・セーター・下着エリアは、主として折り畳んで収納される衣服用の収納エリアである。ただし、Ｙシャツやセーターを吊り掛けるようにしてもよい。この収納エリアは、６段の棚板が固定で設置されている。
【００２０】
また、小物・靴エリアは、小物や靴を収納するエリアである。この収納エリアの幅方向の側壁には、上述した棚柱と同様の取付構造が直接形成されており、着脱可能な棚板が取り付けられる。ここで、ウォークインクローゼット１のコーナー部Ｃ1，Ｃ2には、別の収納エリアが形成されている。具体的には、これらのコーナー部Ｃ1，Ｃ2は、ウォークインクローゼット１の内部空間と側壁によって分離されており、ウォークインクローゼット１以外の場所（例えば廊下）より開閉可能な扉を備えている。これにより、収納上のデッドスペースになりやすいコーナー部Ｃ1，Ｃ2の有効活用を図ることができる。
【００２１】
窓９の近傍に設けられた着替え・身支度エリアは、着替えや身支度をする際に使用されるエリアである。このエリアの側壁には、デッドスペースの低減とユーザの利便性の向上とを図るために、メッシュパーテーションパネル１０と、収納脚立セット１１とが取り付けられている。ここで、窓９の内側には、スライド可能な引き戸１２が設けられている。図３は、引き戸１２が窓９を覆った閉状態を示す図である。この引き戸１２の内側にはミラー１３が取り付けれている。閉状態では、着替え・身支度エリアの近傍にミラー１３が位置するため、ユーザは、ミラー１３を見ながら着替えを行うことができる。また、引き戸１２が窓９からの光を遮るので、衣服の日焼けを防止するのにも有効である。図４は、引き戸１２が窓９を覆っていないを開状態を示す図である。引き戸１２を開くことによって、固定窓９ａと開閉窓９ｂとで構成された窓９が出現する。この開状態は、ウォークインクローゼット１内に光を取り入れたい場合、または、開閉窓９ｂを開いてウォークインクローゼット１内に新鮮な空気を取り込みたい場合に有効である。
【００２２】
このように、本実施形態によれば、横棒６を取り付けるための棚柱４ａ〜４ｃ，８ａ〜８ｂに関して、奥行き方向の設置位置を変えている。そして、比較的幅広な上着類をジャケット・コート掛けエリアに吊り下げ、比較的幅狭なスカート類をスカート・ズボン掛けエリアに吊り下げるといった如く、収納すべき衣服をその種類に応じた収納エリアに分けて収納する。これにより、収納のデッドスペースを有効に低減しつつ、使い勝手に優れたウォークインクローゼットを実現できる。それとともに、吊り下げられた衣服が奥の壁に接触することなく綺麗に整列するので、見栄えのよい収納を実現できる。
【００２３】
なお、上述した実施形態では、棚板５や横棒６を取り付ける取付部として、棚柱を用いた例について説明したが、本考案はこれに限定されるものではなく、高さ調整可能な取付構造が設けられた側板を用いてもよい。
【図面の簡単な説明】
【００２４】
【図１】ウォークインクローゼットの上面図
【図２】ジャケット・コート掛けエリアの要部斜視図
【図３】引き戸が窓を覆った閉状態を示す図
【図４】引き戸が窓を覆っていない開状態を示す図
【符号の説明】
【００２５】
１  ウォークインクローゼット
２  ドア
３ａ〜３ｆ  棚板用棚柱
４ａ〜４ｃ  横棒用棚柱
５  棚板
６  横棒
７ａ〜７ｄ  棚板用棚柱
８ａ〜８ｂ  横棒用棚柱
９  窓
９ａ  固定窓
９ｂ  開閉窓
１０  メッシュパーテーションパネル
１１  収納脚立セット
１２  引き戸
１３  ミラー
【図１】
0003116490.tif 000003
【図２】
0003116490.tif 000004
【図３】
0003116490.tif 000005
【図４】
0003116490.tif 000006